(57)【特許請求の範囲】
【請求項１】
縦材と横材とを接合することにより縦ｎ段横ｍ列の開口部を有して形成される格子状部材と、
前記開口部のうち、ｎ箇所以上ｎ×ｍ箇所未満の開口部を閉塞するように配置される板状部材と、からなる補強壁であって、
前記板状部材が、構造材であることを特徴とする、補強壁。
【請求項２】
複数の前記板状部材が、縦方向に連続して配置されていることを特徴とする、請求項１に記載の補強壁。
【請求項３】
縦材と横材とを接合することにより縦ｎ段横ｍ列の開口部を有して形成される格子状部材と、
前記開口部のうち、ｍ箇所以上ｎ×ｍ箇所未満の開口部を閉塞するように配置される板状部材と、からなる補強壁であって、
前記板状部材が、構造材であることを特徴とする、補強壁。
【請求項４】
複数の前記板状部材が、斜め方向に連続して配置されていることを特徴とする、請求項３に記載の補強壁。
【請求項５】
前記格子状部材が、対向する一対の格子構成材からなり、
前記板状部材が、前記格子構成材により前後から挟持されることにより固定されていることを特徴とする、請求項１乃至請求項４のいずれか１項に記載の補強壁。
【請求項６】
前記板状部材が、前記格子状部材を挟んで対向する２枚の板材からなることを特徴とする、請求項１乃至請求項４のいずれか１項に記載の補強壁。
【発明の詳細な説明】
【技術分野】
【０００１】
本発明は、構造物の剛性および耐力を増加させるために構築される補強壁に関する。
【背景技術】
【０００２】
例えば、耐震性が不十分であると判断された既設構造物に対する一般的な補強構造としては、柱と梁から形成される既設梁柱架構の内側空間に、現場打ち鉄筋コンクリート耐震壁や、鉄骨ブレース等を配置することにより、耐震補強を行っていた。
【０００３】
ところが、鉄筋コンクリート耐震壁は、梁柱架構の内側空間を壁体により塞いでしまうため、美観上および彩光上の面や、ダクトを含めた必要な配管等を行うことができないなどの問題点を有していた。また、鉄骨ブレースによる耐震補強は、採光や配管等は可能であるものの、鉄骨の配置により意匠的な設計の自由度が制限されるという問題点を有していた。
【０００４】
そのため、特許文献１には、図４（ａ）に示すように、梁柱架構１１０の内側空間に、鋼板１０３を配置することにより構成された鋼製の耐震補強壁１０１であって、鋼板１０３を切断することにより耐震補強壁１０１の周辺部の対称位置に開口部１０４，１０４，…を設けて、採光または配管等を可能としている。なお、図４（ａ）における符号１０２は、鋼板１０３の座屈防止の目的として設けられたスチフナであって、鋼板１０３の板厚に応じて配置されている。
【０００５】
また、特許文献２には、図４（ｂ）に示すように、美観性および採光性の向上を図ることを目的として、梁柱架構２１０の内面に固定された鋼板２０２と、縦横方向に整列して当該鋼板２０２に形成された開口部２０３とを有する耐震補強壁２０１が提案されている。
【特許文献１】特開平１０−１８４０７５号公報（［００１７］−［００２２］、図１−図３）
【特許文献２】特開２００２−７０２１３号公報（［００２０］−［００３９］、図１−図１５）
【発明の開示】
【発明が解決しようとする課題】
【０００６】
ところが、前記従来の耐震補強壁１０１，２０１は、部材（鋼板１０３，２０２）の断面（部材厚等）によりその剛性や耐力が決定する。そのため、構造物の増築や改築に伴い、耐震補強壁１０１，２０１の性能を変更する必要が生じた場合には、耐震補強壁１０１，２０１を撤去して、新たに、所望の剛性や耐力を有した耐震補強壁を設置し直す必要があった。
【０００７】
また、特許文献１の耐震補強壁１０１は、開口部１０４が鋼板１０３の一部を切断することにより設けられているため、開口部１０４の位置をずらすなど、補強対象となる構造物の使用目的に応じて通風や採光を変更することは困難であり、設計の自由度が制限されるという問題点を有していた。
【０００８】
同様に、特許文献２の耐震補強壁２０１は、鋼板２０２の板厚に応じて開口部２０３の大きさや配置等が決定されるため、補強対象となる構造物の使用目的等に応じたデザインを変更することは困難であり、設計の自由度が制限されるという問題点を有していた。
【０００９】
本発明は、前記の問題点を解決するものであり、剛性および耐力等の力学的な設計を自由に変更することを可能とし、かつ、美観性、採光性および通風等、機能的および意匠的な設計を自由に変更することを可能とした補強壁を提案することを課題とする。
【課題を解決するための手段】
【００１０】
前記の課題を解決するために、請求項１に記載の補強壁は、縦材と横材とを接合することにより縦ｎ段横ｍ列の開口部を有して形成される格子状部材と、前記開口部のうち、ｎ箇所以上ｎ×ｍ箇所未満の開口部を閉塞するように配置される板状部材とからなり、前記板状部材が構造材であることを特徴としている。
【００１１】
かかる補強壁によれば、縦ｎ段横ｍ列（ｎ，ｍは整数）の開口部が形成された格子状部材のうち、所定の開口部に、板状部材を配置することにより、構造物の使用目的等に応じたデザインによる補強壁を構築することを可能としているため、機能的および意匠的な設計の自由度が高い。また、板状部材の材質や部材厚を調整することにより、補強壁の剛性および耐力等の力学的な設計を自由に変更することも可能としている。
ここで、本明細書において板状部材とは、所定の強度を有した板状の部材であって、格子状部材の所定の開口部に配置されることにより当該補強壁が配置される構造物の剛性と耐力を高めることを可能とする、構造材としての機能を有した部材をいう。また、格子状部材は、補強壁の主材として、その強度により構造物の剛性と耐力とを高めることを目的として配置される構造材であって、これに板状部材が適切に配置されることにより、さらに効果的に構造物の補強を行うことを可能としている。
【００１２】
また、前記補強壁において、複数の前記板状部材を、縦方向に連続して配置すれば、格子状部材の面内において間柱と同等の構造を構築し、構造物の鉛直耐力を増強することが可能となり、好適である。
【００１３】
さらに、請求項３に記載の補強壁は、縦材と横材とを接合することにより縦ｎ段横ｍ列の開口部を有して形成される格子状部材と、前記開口部のうち、ｍ箇所以上ｎ×ｍ箇所未満の開口部を閉塞するよう配置される板状部材とからなり、前記板状部材が構造材であることを特徴としている。
【００１４】
このように、縦ｎ段横ｍ列（ｎ，ｍは整数）の開口部のうち、ｍ箇所以上の開口部を閉塞するように板状部材が配置されていれば、補強壁として構造物の剛性および耐力を高めるとともに、美観性に優れたデザインが可能となるため、好適である。
【００１５】
また、前記補強壁において、複数の前記板状部材を、斜め方向に連続して配置すれば、格子状部材の面内において、鉄骨ブレース等と同等の構造を構築することが可能となり、その結果、地震時や強風時等の水平耐力を増強することが可能となり、好適である。
【００１６】
前記格子状部材が、対向する一対の格子構成材からなり、前記板状部材が、前記格子構成材により前後から挟持されることにより固定されている、あるいは、前記板状部材が、前記格子状部材を挟んで対向する２枚の板材であれば、板状部材の着脱が容易なため、好適である。
【００１７】
このように、前記板状部材が、前記格子状部材に着脱可能に取り付けられていれば、当該補強壁の施工後において、格子状部材により形成された開口部に配置された板状部材の位置、厚み、枚数等を適宜変更することにより、必要な剛性および耐力を自由に変更することが可能となるため、好適である。また、板状部材の位置を変更することにより、適宜、美観性、採光性および通風等、機能的および意匠的な設計を自由に変更することが可能となる。
【発明の効果】
【００１８】
本発明によれば、剛性および耐力等の力学的な設計を自由に変更することを可能とし、かつ、美観性、採光性および通風等、機能的および意匠的な設計を自由に変更することを可能な補強壁を提供することが可能となった。
【発明を実施するための最良の形態】
【００１９】
本発明の好適な実施の形態について、図面を参照して説明する。なお、説明において、同一要素には同一の符号を用い、重複する説明は省略する。
ここで、図１は、本実施の形態に係る補強壁を示す正面図であり、図２は、（ａ）、（ｂ）ともに、同補強壁の板状部材と格子状部材との接合方法を示す拡大断面図である。また、図３は、（ａ）、（ｂ）ともに本発明に係る補強壁の変形例を示す正面図である。
【００２０】
本実施の形態に係る補強壁１は、図１に示すように、左右に立設された柱１２，１２とこれらの柱１２，１２に横設されている上下の梁１１，１１とにより形成された梁柱架構１０の内側空間に配設されている。ここで、符号１３は、床スラブである。
【００２１】
補強壁１は、複数の縦材２ａと複数の横材２ｂとを組み合わせてなる格子状部材２と、格子状部材２に形成された縦ｎ段横ｍ列（本実施形態では縦３段横６列）の開口部５，５，…のうち、所定の開口部５（本実施形態では６箇所）を閉塞するように配置される板状部材３とから構成されている。ここで、本実施形態では、開口部５，５，…が、同一寸法の正方形に形成されているが、長方形に形成されていてもよく、また、位置に応じて異なる寸法に形成されていてもよい。
【００２２】
格子状部材２は、本実施形態では、補強壁１の対向する一対の格子構成材からなり、図２（ａ）に示すように、２本の溝型鋼（格子構成材）の開口面（溝が形成された側の面）がそれぞれ前後（図１における紙面の表裏方向）を向くように、一対の格子構成材を対向させることで構成されている。そして、これらの溝型鋼（縦材２ａおよび横材２ｂ）を鉛直方向または水平方向に配置して、格子状に組み合わせることにより、縦３段、横６列の開口部５，５，…が形成されている。
【００２３】
なお、格子状部材２の開口部５の段数や列数は、前記のものに限定されるものではなく、梁柱架構の形状や想定される外力に応じて適宜設定すればよい。
【００２４】
また、格子状部材２を構成する材料が溝型鋼に限定されるものではないことはいうまでもない。つまり、格子状部材２を構成する部材の剛性に加えて、所定の開口部５に配置された板状部材３の剛性により、所望の耐力を発現することが可能な材料を適宜選定して使用すればよい。さらに、本実施形態では、縦材２ａと横材２ｂとを溶接接合することにより格子状部材２を形成するものとするが、格子状部材２の形成方法は限定されるものではなく、例えば、鋼板に所定の配列による開口部５を形成することにより形成してもよい。
【００２５】
格子状部材２の梁柱架構１０への取り付けは、格子状部材２の外周囲と梁柱架構１０との隙間にモルタル等の充填材４を充填することにより行う。ここで、取り付けに使用する充填材４は、格子状部材２と梁柱架構１０の一体化が可能であれば、モルタルに限定されるものではない。また、格子状部材２の梁柱架構１０への取り付け方法は限定されるものではなく、場合により、摩擦工法やアンカー工法等から適宜選定して行うことができる。
【００２６】
板状部材３は、正方形状に形成された鋼板を、図１に示すように、格子状部材２に形成された開口部５のうち、最下段の左右両端の開口部５，５からそれぞれ上段の中央の開口部５，５に向かって、斜め方向に連続して配置されており、逆Ｖ字を呈している。なお、板状部材３は、鋼板に限定されるものではなく、例えば、ガラス繊維強化プラスチック、グレーチング、パンチングメタル等が使用可能である。また、板状部材３の形状は正方形に限定されるものではなく、開口部５の形状に応じて適宜設定されることはいうまでもない。
【００２７】
板状部材３の格子状部材２への取り付けは、図２（ａ）に示すように、その四辺を前後に配置された一対の格子構成材（格子状部材２）により把持した状態で、所定間隔に配置されたボルトとナットＢＮにより締着されている。なお、ボルトとナットＢＮの数や配置は限定されるものではなく、板状部材３の格子状部材２への取り付けが可能となるように適宜設定して行う。
ここで、図２（ａ）の符号３ａは、板状部材３を把持することにより形成される、一対の格子構成材（格子状部材２の溝型鋼同士）の間に形成された間隔を埋めるために配置されるフィラーである。フィラー３ａは、板状部材３と同等の厚みを有していればよく、その材質等は限定されるものではないが、本実施形態では、板状部材３と同等の厚みを有した鋼板を使用するものとする。なお、一対の格子構成材（格子状部材２）のうち、前面側または後面側のいずれか一方が、縦材２ａと横材２ｂとが分割可能に構成されていれば、所定の開口部５における板状部材３の着脱を容易に行うことが可能となるため、好適である。
【００２８】
なお、本実施形態では、板状部材３として各設置箇所に板材を１枚配置するものとしたが、図２（ｂ）に示すように、複数枚（図２（ｂ）では２枚）重ねてその厚みを増加させることにより、剛性を増加させた板状部材３により構成してもよい。この場合において、格子状部材２を構成する縦材２ａおよび横材２ｂを断面十字状の鋼製の部材により構成すれば、格子状部材２の前後から、２枚の板材（板状部材３）により把持した状態で、ボルトとナットＢＮにより締着して、固定することが可能である。ここで、格子状部材２を構成する部材は、溝型鋼や十字鋼に限定されるものではないことはいうまでもない。
【００２９】
補強壁１の梁柱架構１０への設置は、搬送時や設置時の作業性を考慮して、分割された各部材を現地にて組み立てることにより行うものとするが、当該補強壁１を設置する構造物内での搬送や、設置に要する機械などの配置が可能であれば、予め所定の形状に形成された補強壁１を搬入し、梁柱架構１０の内側空間へ設置してもよい。
【００３０】
本実施形態に係る補強壁１は、板状部材３が、格子状部材２の開口部５に、逆Ｖ字状に配置されているため、鉄骨ブレース等の耐震補強部材と同様に、地震時等の横方向の外力に対する耐力を増強することを可能としている。
【００３１】
また、板状部材３は、格子状部材２により把持した状態で、ボルトとナットＢＮにより締着されることで固定されているため、その着脱が容易で、例えば、構造物の増築等により想定される外力の大きさが変化した場合でも、板状部材３の厚みまたは枚数を変更することで容易に必要な剛性と耐力を有した補強壁１を構築することを可能となる。
【００３２】
また、板状部材３の着脱が容易なため、採光や通風、または、美観性のデザインの変更を目的として、板状部材３の配置を変更することも容易である。
【００３３】
また、板状部材３として、ガラス繊維強化プラスチック、グレーチング、パンチングメタル等の材質の板材を使用すれば、デザインの自由度が増し、好適である。
【００３４】
板状部材３の配置は、補強壁の設置の目的が、構造物の鉛直方向の耐力の増強を目的とするものであれば、図３（ａ）に示す補強壁１’ように、格子状部材２の縦の段数（図３（ａ）では３段）と同数の板状部材３，３，…（図３（ａ）では３枚）を、縦方向に連続して配置してもよい。この構成によれば、柱１２と柱１２との間に間柱を配置するのと同等の効果を得ることが可能となる。
【００３５】
また、構造物の耐震性能を向上するとともに、設置によりその景観が損なわれないように、板状部材３を配置することも可能である。つまり、図３（ｂ）に示すように、板状部材３をＶ字および逆Ｖ字を重ねるような状態（Ｘ字を横に並べた状態）に配置することで、外力に対する耐力を増強するとともに、個性的な景観を付与する構成としてもよい。
【００３６】
以上、本発明について、好適な実施形態の一例を説明した。しかし、本発明は、前記実施形態に限られず、前記の各構成要素については、本発明の趣旨を逸脱しない範囲で、適宜設計変更が可能である。
例えば、前記各実施形態では、本発明の補強壁を梁柱架構の内側空間に配置するものとしたが、補強壁の設置箇所は限定されるものではなく、天井スラブ、床スラブ、壁等、その他の躯体により構成された空間に配置してもよい。
【００３７】
また、本発明の補強壁は、外壁として構造物の外側に配置してもよく、その設置箇所は、構造物の内外を問わない。
【００３８】
また、板状部材の格子状部材への取り付け方法は、力の伝達が可能で、板状部材の着脱が容易な方法であれば、ボルトとナットによる締着に限定されるものではないことはいうまでもない。
【００３９】
また、板状部材の配置は、前記のものに限定されるものではなく、補強壁の目的、必要とされる耐力、景観等を考慮して、適宜設定すればよく、例えば、Ｖ字状、横Ｖ字状、Ｘ字状、ブレース状等に配置してもよい。
【００４０】
また、構造材としての板状部材により閉塞されている開口部以外の開口部に、風雨の浸入を防ぐことや補強壁の美観性を高めること等を目的として、ガラス製やプラスチック製等の非構造材を配置してもよいことはいうまでもない。
【００４１】
また、前記実施形態では、板状部材の格子状部材への取り付けをボルトとナットを介して締着することにより行うものとしたが、板状部材の取り付け方法は限定されるものではなく、例えば溶接など、公知の手段から適宜選定して行えばよい。また、前記実施形態では、２重構造部材からなる格子状部材、または、複層部材からなる板状部材により挟持することで、格子状部材への板状部材の取り付けを行うものとしたが、板状部材の取り付けは挟持による方法に限定されるものではないことはいうまでもない。
【図面の簡単な説明】
【００４２】
【図１】本実施の形態に係る補強壁を示す正面図である。
【図２】（ａ）、（ｂ）ともに、同補強壁の板状部材と格子状部材との接合方法を示す拡大断面図である。
【図３】（ａ）、（ｂ）ともに、本発明に係る補強壁の変形例を示す正面図である。
【図４】（ａ）、（ｂ）ともに従来の補強壁を示す正面図である。
【符号の説明】
【００４３】
１，１’，１”  補強壁
２      格子状部材
２ａ    縦材
２ｂ    横材
３      板状部材
５      開口部
１０    梁柱架構
【図１】
0004733447.tif 000002
【図２】
0004733447.tif 000003
【図３】
0004733447.tif 000004
【図４】
0004733447.tif 000005